【手続補正書】
【提出日】平成30年3月14日(2018.3.14)
【手続補正１】
【補正対象書類名】特許請求の範囲
【補正対象項目名】請求項５
【補正方法】変更
【補正の内容】
【請求項５】
請求項３に記載の診断システムであって、
前記演算部は、
前記太陽電池アレイごとに、互いに日射量が異なる第１の時間帯及び第２の時間帯のそれぞれにおいて前記第１の電流計測装置によって計測された電流値、前記第１の電圧計測装置によって計測された電圧値、及び前記複数の第２の電流計測装置によって計測された電流値を補正した値に基づいて、前記第１の時間帯における前記各太陽電池アレイの電流の理論値と前記各第２の電流計測装置によって計測された電流値を補正した値との第１の差分と、前記第２の時間帯における前記各太陽電池アレイの電流の理論値と前記各第２の電流計測装置によって計測された電流値を補正した値との第２の差分と、を計算し、
前記第１の差分と前記第２の差分との差が所定の条件を満たすときに計算に用いた前記太陽電池セルの数に基づいて、前記各太陽電池アレイにおける太陽電池セルの故障数を推定することを特徴とする診断システム。
【手続補正２】
【補正対象書類名】特許請求の範囲
【補正対象項目名】請求項１２
【補正方法】変更
【補正の内容】
【請求項１２】
請求項１０に記載の診断方法であって、
前記演算部が、互いに日射量が異なる第１の時間帯及び第２の時間帯を決定する第６手順と、
前記演算部が、前記太陽電池アレイごとに、前記第１の時間帯において前記第１の電流計測装置によって計測された電流値、前記第１の電圧計測装置によって計測された電圧値、及び前記複数の第２の電流計測装置によって計測された電流値を補正した値に基づいて、前記第１の時間帯における前記各太陽電池アレイの電流の理論値と前記各第２の電流計測装置によって計測された電流値を補正した値との第１の差分を計算する第７手順と、
前記演算部が、前記太陽電池アレイごとに、前記第２の時間帯において前記第１の電流計測装置によって計測された電流値、前記第１の電圧計測装置によって計測された電圧値、及び前記複数の第２の電流計測装置によって計測された電流値を補正した値に基づいて、前記第２の時間帯における前記各太陽電池アレイの電流の理論値と前記各第２の電流計測装置によって計測された電流値を補正した値との第２の差分を計算する第８手順と、
前記演算部が、前記第１の差分と前記第２の差分との差が所定の条件を満たすときに計算に用いた前記太陽電池セルの数に基づいて、前記各太陽電池アレイにおける太陽電池セルの故障数を推定する第９手順と、をさらに含むことを特徴とする診断方法。
【手続補正３】
【補正対象書類名】明細書
【補正対象項目名】００２５
【補正方法】変更
【補正の内容】
【００２５】
いずれの太陽電池セルも故障していない太陽電池モジュールの電流経路は、図３（ａ）の電流経路１３ａのように、直列に接続された太陽電池セルを経由する。ここで、例えば図３（ｂ）に示すように太陽電池セル１３ｂが故障すると、電流経路１３ａは、故障した太陽電池セル１３ｂを含む太陽電池モジュール内の複数の太陽電池セルを経由せずに、その太陽電池モジュールのバイパスダイオード１２ｂを迂回する電流経路１３ｃとなる。
【手続補正４】
【補正対象書類名】明細書
【補正対象項目名】００２６
【補正方法】変更
【補正の内容】
【００２６】
なお、一つの太陽電池セル１３ｂが故障すると、図３（ｂ）に示すように電流がバイパスダイオード１２ｂを通過することによってその太陽電池モジュールの全ての太陽電池セルを電流が通過しなくなる。すなわち、それらの全ての太陽電池セルが太陽光発電に寄与しなくなるため、以下の説明ではそれらの太陽電池セルが全て故障しているものとして扱われる。
【手続補正５】
【補正対象書類名】明細書
【補正対象項目名】００４１
【補正方法】変更
【補正の内容】
【００４１】
図８（ａ）に示すように、電圧源８１及び可変電流源８２で構成された安定電流を電流源の設定電流とし、電流計測装置３ａのＡＤ変換前のアナログ電圧を計測電圧値として、図８（ｂ）に示す。直線８４は、２５℃の時の計測結果であり、直線８５は、周辺温度が２５℃より低温になった場合の計測結果である。このように、ＣＴセンサ３４ａのような絶縁性の高い計測手段を用いた場合は、温度によるオフセット８６の変化が大きく、ＡＤ変換できる振幅範囲も限られるため、精度よく計測できる温度範囲が制限される。
【手続補正６】
【補正対象書類名】明細書
【補正対象項目名】００４４
【補正方法】変更
【補正の内容】
【００４４】
具体的には、図９は、集電ラック３に設置された複数の電流計測装置３ａから得られる複数の計測電流値の和：Ｉ１（図１内のＩ１ａからＩ１ｎの和）とパワーコンディショナ４における計測電流：Ｉ２（図１内のＩ２）との相関を示した図である。直線９１は、相関プロットから得られる回帰直線であり、Ｉ２＝Ａ×Ｉ１＋Ｂで表わされる。Ａは、電流計測装置３ａの持つリニアリティと電流計測装置４ａの持つリニアリティとの比であり、計測装置固有の値となる。一方、Ｂは、計測された電流のオフセット値である。集電ラック３内の温度は管理されていない（すなわち天候及び発電量等に応じて変動し得る）のに対して、パワーコンディショナ４内の温度は冷却装置４ｃによって一定（本実施例では２５℃）に保たれるため、Ｂは、集電ラック３内電流計測装置３ａの周辺温度によって変化する。
【手続補正７】
【補正対象書類名】明細書
【補正対象項目名】００４８
【補正方法】変更
【補正の内容】
【００４８】
前述のように、Ｂの値は電流計測装置３ａの周辺温度によって変化すると考えられるため、電流計測装置３ａの温度依存性をβ［Ａ／℃］とすると、電流計測装置３ａの周辺温度Ｔ１は、下記の式（２）によって表される。演算部６ｂは、ステップ１０３において、式（２）によって電流計測装置３ａの周辺温度Ｔ１を計算する。
【手続補正８】
【補正対象書類名】明細書
【補正対象項目名】００６８
【補正方法】変更
【補正の内容】
【００６８】
以上の関係から、本実施例の故障診断方法においては、まず、サンプリング速度が十分であるパワーコンディショナ４で計測される太陽電池アレイ単位での動作電流と短絡電流との比Ｊを用いて、太陽電池アレイへの日射量として想定される値、すなわち想定日射量ｐｂが算出され、次に、パワーコンディショナ４で計測される太陽電池アレイ単位での動作電圧を用いて、太陽電池アレイの動作温度として想定される値、すなわち想定温度Ｔｂが算出される。
【手続補正９】
【補正対象書類名】明細書
【補正対象項目名】００６９
【補正方法】変更
【補正の内容】
【００６９】
通常、太陽電池アレイの温度計測には、熱電対等が用いられるが、一般的に、計測精度が低い。したがって、本実施例の故障診断方法においては、動作温度もパワーコンディショナ４で計測される動作電流Ｉｐｍａｘ＿ｂ及び動作電圧Ｖｐｍａｘ＿ｂのみから算出される。太陽電池アレイの開放電圧の温度係数β１［Ｖ／℃］を用いて、開放電圧：Ｖｏｃ＿ｂは、常温：Ｔａにおける開放電圧をＶｏｃ＿ａとすると、式（９）のように表すことができる。
【手続補正１０】
【補正対象書類名】明細書
【補正対象項目名】００８７
【補正方法】変更
【補正の内容】
【００８７】
Tb’=
(I1’/I2)/{(Isc_0+α・(Tb-Ta))・pb-I1’｝・Tb/{(Isc_0+α・(Tb-298))・pb-I1}  
・・・（１７）
【手続補正１１】
【補正対象書類名】明細書
【補正対象項目名】０１１５
【補正方法】変更
【補正の内容】
【０１１５】
ゆえに、演算部６ｂは、ステップ１５０５ａで計算した差分１と、ステップ１５０５ｂで計算した差分２とが等しいか否かを判定し（ステップ１５０６）、等しくない場合には、式（５）のＮｃｅｌｌの値を変更して（ステップ１５０７）、ステップ１５０２ａ及びステップ１５０２ｂ以降の処理を繰り返し実行する。
【手続補正１２】
【補正対象書類名】図面
【補正対象項目名】図３
【補正方法】変更
【補正の内容】
【図３】
2017112675.tif 000001
【手続補正１３】
【補正対象書類名】図面
【補正対象項目名】図１２
【補正方法】変更
【補正の内容】
【図１２】
2017112675.tif 000002
【手続補正１４】
【補正対象書類名】図面
【補正対象項目名】図１３
【補正方法】変更
【補正の内容】
【図１３】
2017112675.tif 000003